【手続補正書】
【提出日】平成19年1月31日(2007.1.31)
【手続補正１】
【補正対象書類名】明細書
【補正対象項目名】特許請求の範囲
【補正方法】変更
【補正の内容】
【特許請求の範囲】
【請求項１】  移動体通信システムを構成する移動局装置において、
第１の基地局と複数のチャネルを用いて無線通信を行う通信手段と、
第２の基地局と新たに通信可能になったとき、該第２の基地局の空チャネル数を認識する認識手段と、
前記認識手段によって認識された空チャネル数が、前記通信手段が前記第１の基地局との間の通信に用いているチャネル数以上であるならば、前記第２の基地局とハンドオーバを行うハンドオーバ手段と
を有することを特徴とする移動局装置。
【請求項２】  前記ハンドオーバ手段は、前記認識手段によって認識された空チャネル数が、前記通信手段が前記第１の基地局との間の通信に用いているチャネル数より少ないならば、前記第２の基地局とのハンドオーバを行わず、前記ハンドオーバが行われなかった前記第２の基地局において空チャネルが、前記通信手段が前記第１の基地局との間の通信に用いているチャネル数以上に増えたとき、前記第２の基地局とハンドオーバを行うことを特徴とする請求項２記載の移動局装置。
【請求項３】  前記移動局装置が複数の基地局と新たに通信可能になったが、該複数の基地局のいずれもが前記ハンドオーバ手段によって前記移動局装置からのハンドオーバをされておらず、且つ前記移動局装置が現在交信中の基地局の数が所定数以下になったとき、前記複数の基地局のうち空きチャネル数が最大である基地局と、伝送速度を下げてハンドオーバを行う非常時ハンドオーバ手段を更に有することを特徴とする請求項２記載の移動局装置。
【請求項４】  １つの移動局が複数の基地局と同時に交信を行う符号分割多元接続通信方式の移動体通信システムを構成する移動局装置において、
同時に交信中の複数の基地局のうち空チャネルが存在する基地局の数が所定数以上であり、且つ前記複数の基地局に空チャネルがない基地局が含まれるという条件が満たされたことを検出する検出手段と、
前記検出手段によって前記条件が満たされたことが検出されたとき、前記空チャネルがない基地局との交信を終了させるとともに、前記空チャネルが存在する各基地局の空チャネルを使用して、前記移動局装置と前記空チャネルが存在する各基地局との間の伝送速度を上げるようにするチャネル制御手段と
を有することを特徴とする移動局装置。
【請求項５】  移動体通信システムを構成する移動局装置に適用される移動局通信方法において、
前記移動局装置に、第１の基地局と複数のチャネルを用いて無線通信を行わせる通信ステップと、
前記移動局装置が第２の基地局と新たに通信可能になったとき、該第２の基地局の空チャネル数を認識する認識ステップと、
前記認識ステップによって認識された空チャネル数が、前記移動局装置が前記第１の基地局との間の通信に用いているチャネル数以上であるならば、前記第２の基地局とハンドオーバを行うハンドオーバステップと
を有することを特徴とする移動局通信方法。
【請求項６】  前記ハンドオーバステップでは、前記認識ステップによって認識された空チャネル数が、前記移動局装置が前記第１の基地局との間の通信に用いているチャネル数より少ないならば、前記第２の基地局とのハンドオーバを行わず、前記ハンドオーバが行われなかった前記第２の基地局において空チャネルが、前記移動局装置が前記第１の基地局との間の通信に用いているチャネル数以上に増えたとき、前記第２の基地局とハンドオーバを行うことを特徴とする請求項５記載の移動局通信方法。
【請求項７】  前記移動局装置が複数の基地局と新たに通信可能になったが、該複数の基地局のいずれもが前記ハンドオーバステップによって前記移動局装置からのハンドオーバをされておらず、且つ前記移動局装置が現在交信中の基地局の数が所定数以下になったとき、前記複数の基地局のうち空きチャネル数が最大である基地局と、伝送速度を下げてハンドオーバを行う非常時ハンドオーバステップを更に有することを特徴とする請求項６記載の移動局通信方法。
【請求項８】  １つの移動局が複数の基地局と同時に交信を行う符号分割多元接続通信方式の移動体通信システムを構成する移動局装置に適用される移動局通信方法において、
同時に交信中の複数の基地局のうち空チャネルが存在する基地局の数が所定数以上であり、且つ前記複数の基地局に空チャネルがない基地局が含まれるという条件が満たされたことを検出する検出ステップと、
前記検出ステップによって前記条件が満たされたことが検出されたとき、前記空チャネルがない基地局との交信を終了させるとともに、前記空チャネルが存在する各基地局の空チャネルを使用して、前記移動局装置と前記空チャネルが存在する各基地局との間の伝送速度を上げるようにするチャネル制御ステップと
を有することを特徴とする移動局通信方法。
【請求項９】  移動体通信システムを構成する移動局装置に適用される移動局通信方法をプログラムとして記憶した、コンピュータにより読み出し可能な記憶媒体において、
前記移動局通信方法が、
前記移動局装置に、第１の基地局と複数のチャネルを用いて無線通信を行わせる通信ステップと、
前記移動局装置が第２の基地局と新たに通信可能になったとき、該第２の基地局の空チャネル数を認識する認識ステップと、
前記認識ステップによって認識された空チャネル数が、前記移動局装置が前記第１の基地局との間の通信に用いているチャネル数以上であるならば、前記第２の基地局とハンドオーバを行うハンドオーバステップと
を有することを特徴とする記憶媒体。
【請求項１０】  １つの移動局が複数の基地局と同時に交信を行う符号分割多元接続通信方式の移動体通信システムを構成する移動局装置に適用される移動局通信方法をプログラムとして記憶した、コンピュータにより読み出し可能な記憶媒体において、
前記移動局通信方法が、
同時に交信中の複数の基地局のうち空チャネルが存在する基地局の数が所定数以上であり、且つ前記複数の基地局に空チャネルがない基地局が含まれるという条件が満たされたことを検出する検出ステップと、
前記検出ステップによって前記条件が満たされたことが検出されたとき、前記空チャネルがない基地局との交信を終了させるとともに、前記空チャネルが存在する各基地局の空チャネルを使用して、前記移動局装置と前記空チャネルが存在する各基地局との間の伝送速度を上げるようにするチャネル制御ステップと
を有することを特徴とする記憶媒体。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】変更
【補正の内容】
【００１２】
請求項４記載の発明によれば、１つの移動局が複数の基地局と同時に交信を行う符号分割多元接続通信方式の移動体通信システムを構成する移動局装置において、同時に交信中の複数の基地局のうち空チャネルが存在する基地局の数が所定数以上であり、且つ前記複数の基地局に空チャネルがない基地局が含まれるという条件が満たされたことを検出する検出手段と、前記検出手段によって前記条件が満たされたことが検出されたとき、前記空チャネルがない基地局との交信を終了させるとともに、前記空チャネルが存在する各基地局の空チャネルを使用して、前記移動局装置と前記空チャネルが存在する各基地局との間の伝送速度を上げるようにするチャネル制御手段とを有することを特徴とする。
【手続補正４】
【補正対象書類名】明細書
【補正対象項目名】００１３
【補正方法】変更
【補正の内容】
【００１３】
また、請求項５記載の発明によれば、移動体通信システムを構成する移動局装置に適用される移動局通信方法において、前記移動局装置に、第１の基地局と複数のチャネルを用いて無線通信を行わせる通信ステップと、前記移動局装置が第２の基地局と新たに通信可能になったとき、該第２の基地局の空チャネル数を認識する認識ステップと、前記認識ステップによって認識された空チャネル数が、前記移動局装置が前記第１の基地局との間の通信に用いているチャネル数以上であるならば、前記第２の基地局とハンドオーバを行うハンドオーバステップとを有することを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
請求項８記載の発明によれば、１つの移動局が複数の基地局と同時に交信を行う符号分割多元接続通信方式の移動体通信システムを構成する移動局装置に適用される移動局通信方法において、同時に交信中の複数の基地局のうち空チャネルが存在する基地局の数が所定数以上であり、且つ前記複数の基地局に空チャネルがない基地局が含まれるという条件が満たされたことを検出する検出ステップと、前記検出ステップによって前記条件が満たされたことが検出されたとき、前記空チャネルがない基地局との交信を終了させるとともに、前記空チャネルが存在する各基地局の空チャネルを使用して、前記移動局装置と前記空チャネルが存在する各基地局との間の伝送速度を上げるようにするチャネル制御ステップとを有することを特徴とする。
【手続補正７】
【補正対象書類名】明細書
【補正対象項目名】００１６
【補正方法】変更
【補正の内容】
【００１６】
さらに、請求項９記載の発明によれば、移動体通信システムを構成する移動局装置に適用される移動局通信方法をプログラムとして記憶した、コンピュータにより読み出し可能な記憶媒体において、前記移動局通信方法が、前記移動局装置に、第１の基地局と複数のチャネルを用いて無線通信を行わせる通信ステップと、前記移動局装置が第２の基地局と新たに通信可能になったとき、該第２の基地局の空チャネル数を認識する認識ステップと、前記認識ステップによって認識された空チャネル数が、前記移動局装置が前記第１の基地局との間の通信に用いているチャネル数以上であるならば、前記第２の基地局とハンドオーバを行うハンドオーバステップとを有することを特徴とする。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
請求項１０記載の発明によれば、１つの移動局が複数の基地局と同時に交信を行う符号分割多元接続通信方式の移動体通信システムを構成する移動局装置に適用される移動局通信方法をプログラムとして記憶した、コンピュータにより読み出し可能な記憶媒体において、前記移動局通信方法が、同時に交信中の複数の基地局のうち空チャネルが存在する基地局の数が所定数以上であり、且つ前記複数の基地局に空チャネルがない基地局が含まれるという条件が満たされたことを検出する検出ステップと、前記検出ステップによって前記条件が満たされたことが検出されたとき、前記空チャネルがない基地局との交信を終了させるとともに、前記空チャネルが存在する各基地局の空チャネルを使用して、前記移動局装置と前記空チャネルが存在する各基地局との間の伝送速度を上げるようにするチャネル制御ステップとを有することを特徴とする。